(57)【要約】      （修正有）【課題】地盤中に埋設されたアンカーによって定着されたＰＣ鋼より線を撤去する円筒ロッドを提供する。【解決手段】ＰＣ鋼より線を内側に通しながら、ＰＣ鋼より線の周囲を長さ方向に削孔可能なビット付きロッドにおいて、後続ロッド１はその内部から内側に向けて突出し、かつ、周囲全体に亘って周方向に延びる突条を有しており、その突条が周方向に沿って回転自在に設けられているセンター保持リング２を有している。突条は後続ロッド１内に取り込んだＰＣ鋼より線を後続ロッド１の内側に当接させない突出の大きさに形成されている。【選択図】図１
2014058836.tif 000002
【特許請求の範囲】
【請求項１】
地盤中に埋設された引張材の周囲を長さ方向に削孔するためのビットと、このビットが先端面から前側に突出して設けられた円筒状の先端ロッドと、この先端ロッドの後端面から後ろ側に、順次継足し可能に接続された円筒状の後続ロッドとを備え、前記引張材を内側に通しながら、軸線周りで行う回動及び長さ方向に行う圧入による削孔を可能とされた円筒状のビット付きロッドにおいて、
前記後続ロッドが端部側に、その内部から内側に向けて突出し、かつ、内周全体に亘って周方向に延びる突条を有しており、この突条が、その側端部が前記引張材に当接することで、この引張材を前記後続ロッドの内部の壁面に接触させないでこの引張材を該後続ロッドの内側に通すことを可能に設定されていることを特徴とする円筒ロッド。
【請求項２】
前記突条が、周方向に沿って回転自在に設けられていることを特徴とする請求項１に記載の円筒ロッド。
【発明の詳細な説明】
【技術分野】
【０００１】
本発明は、例えば地盤中に埋設されアンカーによって定着された引張材を撤去する目的に用いられる円筒ロッド。
【背景技術】
【０００２】
アンカーは、都市部の山留め支保工に用いられることが多い仮設アンカーと、山間部の斜面崩壊や地滑り対策に用いられることが多い永久アンカーとがある。
仮設アンカーは、都市部では隣接地の敷地境界などの制約条件が厳しいことから、多くの場合地盤中に埋設されたアンカー中の引張材を引き抜き回収することができる、除去式アンカーとなっている。
【０００３】
従来、山留め壁を設置して、その内側を開削することによって、山留め壁に生じる土圧・水圧などの外荷重を、山留め壁の外周に設けたアンカーの引き抜き抵抗で山留め壁を安定させる山留めアンカーは、ビルの地下室など大規模な地下構造物をつくるのに、広い敷地内を開削する場合における山留め支保工として用いられている。
【０００４】
山留めアンカーは、地盤に所定の深さまで削孔し、その孔内にセメントミルクなどのグラウトを注入・充填するとともに、引張材であるＰＣ鋼より線を挿入して、グラウトの養生・固結後にＰＣ鋼より線の頭部と山留め壁面とを定着して、山留め支保工としてのアンカー耐力を得る。
【０００５】
この地盤中に埋設されたアンカーの定着部の長さ全長に亘ってグラウトを充填したアンカーと、定着地盤の間に働く周面摩擦抵抗によって引張り力を地盤に伝える摩擦引張方式の山留めアンカーがある。
【０００６】
この摩擦引張方式のアンカーにおいて、工事後不要となったアンカー中の引張材を引き抜き回収する、アンカー除去装置がある。
【先行技術文献】
【特許文献】
【０００７】
【特許文献１】特開２００５−２３２８８４号公報
【発明の概要】
【発明が解決しようとする課題】
【０００８】
アンカー中の引張材を内側に通しながら、グラウトと周囲地盤とを長さ方向に削孔でき、しかも、引張材を途中で切断せずに、引張材の引き抜きが可能となる、ビット付きロッドがある。（例えば、特許文献１）
【０００９】
しかしながら、引張材を内側に通しながら、所謂、引張材をガイドにして、アンカーが屈曲していても、引張材を途中で切断することなしに、引張材の周囲を長さ方向に削孔できるビット付きロッドであるが、
アンカー中のグラウトを除去された引張材は、ビット付きロッドに後続する、後続ロッド内に取り込まれることになる。
【００１０】
ここで、引張材が回転する後続ロッドの内側に当接して、散け、後続ロッド内に散らばり、絡まり、このため削孔水の送水が不足してアンカーの除去削孔が困難となったり、ロッド内で散らばり、絡まった引張材がロッド内側との接触抵抗により引張材の回収困難となるなどが発生し、かつ散けた引張材によりロッドが傷つけられる危険性があった。
【００１１】
本発明は、上記事情に鑑みなされたもので、その目的は、地盤中に埋設されたアンカーによって定着された引張材を撤去する目的に用いられる円筒ロッドを提供することにある。
【課題を解決するための手段】
【００１２】
上記課題を達成するため、本発明に係る円筒ロッドは、
地盤中に埋設された引張材の周囲を長さ方向に削孔するためのビットと、このビットが先端面から前側に突出して設けられた円筒状の先端ロッドと、この先端ロッドの後端面から後ろ側に、順次継足し可能に接続された円筒状の後続ロッドとを備え、前記引張材を内側に通しながら、軸線周りで行う回動及び長さ方向に行う圧入による削孔を可能とされた円筒状のビット付きロッドにおいて、
前記後続ロッドが端部側に、その内部から内側に向けて突出し、かつ、内周全体に亘って周方向に延びる突条を有しており、この突条が、その側端部が前記引張材に当接することで、この引張材を前記後続ロッドの内部の壁面に当接させないでこの引張材を該後続ロッドの内側に通すことを可能に設定されている、
ことを特徴としている。
【００１３】
このような円筒ロッドによれば、
引張材が回転する後続ロッドの内側に当接して、散け、後続ロッド内に散らばり、絡まり、このため削孔水の送水が不足してアンカーの除去削孔が困難となったり、ロッド内で散らばり、絡まった引張材がロッド内側との接触抵抗により引張材の回収困難となるなどが発生し、かつ散けた引張材によりロッドが傷つけられる危険性は回避できるので、
引張材の撤去に関する信頼性及び安定性の向上効果が十分に得られることが可能となる。
【００１４】
ここで、突条の引張材に対する摺動が円滑に行われないことで、引張材が散ける危険性を回避するようにして、
引張材の撤去に関する信頼性及び安定性の向上効果を担保しようとする観点からすれば、突条が、周方向に沿って回転自在に設けられていることが好ましい。
【発明の効果】
【００１５】
本発明に係る円筒ロッドによれば、アンカーによって定着された引張材の撤去に関する信頼性及び安定性の向上効果が十分に得られることとなる。
【図面の簡単な説明】
【００１６】
【図１】本発明の一実施の形態に係る円筒ロッドの全体構成を示す断面図である。
【図２】本発明の一実施の形態に係る円筒ロッドのセンター保持リングの部分を示す斜視図である。
【図３】（Ａ）は、本発明の一実施の形態に係る円筒ロッドの作用を説明する平断面図であり、（Ｂ）は、その縦断面図である。
【図４】（Ａ）は、本発明の一実施の形態に係る円筒ロッドの施工状況を説明する平断面図であり、（Ｂ）は、その縦断面図である。
【図５】本発明の一実施の形態に係るアンカーの引張材であるＰＣ鋼より線の斜視図である。
【図６】本発明の一実施の形態に係る施工状況を説明する概略断面図である。
【図７】本発明の一実施の形態に係るＰＣ鋼より線を撤去するときの先端ロッドの断面図である。
【発明を実施するための形態】
【００１７】
以下、添付図面に基づいて本発明の実施の形態を詳細に説明する。
なお、ここでは、地表面に対して斜め施工される山留めアンカーの場合について説明するが、これに限られるものではなく圧入反力アンカーのように垂直に近い場合でも、以下の説明が妥当する。
【００１８】
本実施の形態において、円筒ロッドは、ビット付きロッドが、地盤中に埋設されたアンカーの引張材としてのＰＣ鋼より線を撤去する目的に用いられるものとして構成されている。
具体的には、このビット付きロッドが、地盤中に埋設されたＰＣ鋼より線の周囲を長さ方向に削孔できるように、かつ、ＰＣ鋼より線を撤去できるように、円筒ロッドが役割を果たすものとして構成されている。
【００１９】
図６に示すように、本実施例に係るアンカー６２のＰＣ鋼より線５０を撤去する目的で用いられる後続ロッド１について説明する。
山留め壁６１のアンカー６２を設置するには、削孔機械６０を使用して、地盤１１０に所定の深さまで削孔し、その孔内にグラウト６３を充填して、ＰＣ鋼より線５０を挿入してグラウト６３の養生・固結後にＰＣ鋼より線５０の頭部と山留め壁６１とを固定（図示外）して、山留め支保工としてのアンカー耐力を得る。
【００２０】
アンカー６２を除去するには、削孔機械６０を使用して、後続ロッド１の先端には、例えば、ビット付きロッド１０が取り付けられている。ビット付きロッド１０は、公知の技術であり、その構造は、例えば特開２００５−２３２８８４号に開示されている。
【００２１】
具体的には、図７に示すように、
ＰＣ鋼より線５０が地盤中に変則的に蛇行・屈曲する曲線として埋設されている場合でも、ＰＣ鋼より線５０が高速回転するビット１２に当接して切断される事態を有効に回避して、ＰＣ鋼より線５０をビット付きロッド１０内に、後続ロッド１内に取り込むことが可能となっている。
【００２２】
図６に示すように、削孔機械６０の後続ロッド１の先端に装着したビット付きロッド１０を使用して、ＰＣ鋼より線５０の周囲の固化したグラウト６３を切削除去しながら、アンカー６２を掘り進める。
【００２３】
後続ロッド１はビット付きロッド１０がアンカー６２を掘り進める毎に削孔機械６０で継ぎ足していく。
【００２４】
後続ロッド１どうしの接続は公知のネジジョイントである（図１参照）。当該図面では後続ロッド１の一方端は雄ネジ５であり、他方端は雌ネジ６となっている。削孔機械の削孔時のロッドの回転方向は一般的には反時計方向回りなので、後続ロッド１どうしの接続は左ネジ、いわゆる、削孔時にはネジが締まる方向にロッドが回転することとなる。
このことから、削孔機械でロッドを逆回転させると、ロッドどうしのネジが外れて削孔した地盤の中にロッドが脱落して、ロッドを引き上げることができなくなる。
【００２５】
アンカー６２の全長の除去の削孔が完了すれば、グラウト６３は切削、除去されており、ロッド内にはＰＣ鋼より線５０だけが在るので、地盤１１０が崩落しないように、ロッドを残したままで、削孔機械６０を若干移動して、山留め壁６１に穿った除去孔から若干山留め壁６１より表出しているＰＣ鋼より線５０をクレーン（図示外）で吊り上げて容易に引き抜くことができる。
【００２６】
その後、ロッドを引き抜き、除去したアンカー６２の跡孔には砂等充填（図示外）して除去完了となる。
【００２７】
以下、本発明の円筒ロッドにおいて、ＰＣ鋼より線の撤去が確実にできる機能を有する後続ロッド１の構成要素についてさらに詳細に説明する。
【００２８】
［後続ロッド１］
図１に示すように、後続ロッド１は、円筒形状に形成されたものとして構成されており、ＰＣ鋼より線５０を内側に通すことが可能とされている。
【００２９】
具体的には、この後続ロッド１は、ビット付きロッド１０の後端部に対して軸線周りで回転不能に接続されたものとして構成されている。
なお、図７に示すように、後続ロッド１の最先端部にはビット付きロッド１０が接続されている。
【００３０】
すなわち、このような後続ロッド１によれば、ビット付きロッド１０と同期に軸線周りで行う回転動作が可能となっており、かつ、ビット付きロッド１０とともに長さ方向に行う圧入動作が可能となっている。
【００３１】
ここで、これらの回転動作及び圧入動作は、これらの図に示すように、ＰＣ鋼より線５０を内側に通しながら行うことを可能とされている。また、これらの回転動作及び圧入動作は、地盤上に設置した掘削機械６０が後続ロッド１を把持しながら行うことが可能とされている。
【００３２】
つまり、これらの回転動作及び圧入動作を後続ロッド１がビット付きロッド１０とともに行うことにより、地盤１１０中に埋設されたＰＣ鋼より線５０の周囲を長さ方向に削孔することが可能となっている。
【００３３】
［センター保持リング２］
図１及び図２に示すように、センター保持リング２は、後続ロッド１の、その内部から内側に向けて突出し、かつ、内周全体に亘って周方向に延びる突条を有しており、その突条が、周方向に沿って回転自在に設けられているものとして構成されている。
【００３４】
具体的には、図２に示すように、後続ロッド１の内周全体に亘って、ＰＣ鋼より線５０を後続ロッド１の内側に当接させない突出の大きさに形成されているリング３が、リングガイド４に嵌合して、回転自在に取り付けられている。
【００３５】
このセンター保持リング２は、後続ロッド１の端部、雌ネジ近傍に取り付けられている（図１参照）が、取り付け位置や個数は、水平除去か垂直除去か、引張材の剛性の大小、後続ロッドの長短などアンカーの施工環境により適宜選択することになる。また、センター保持リング２を取り付ける後続ロッド１は、適宜の間隔でもよく、例えば、複数本おきに、センター保持リング２を取り付けた後続ロッド１を配設してもよく、要は、引張材であるＰＣ鋼より線５０が、後続ロッド１の内側に当接しない間隔にセンター保持リング２を配設できればよい。
【００３６】
図５に示すように、ＰＣ鋼より線５０は、複数本のＰＣ鋼線の素線５１をよりあわせ束ねたもので、山留めアンカーには、一般的には、Ｓより、いわゆる、時計方向回りに撚った、ＰＣ鋼より線がほとんどの場合に使われている。
【００３７】
アンカーの除去する場合、削孔機械でリングビットに、回転力・押付力を伝達する場合のロッドの回転方向は、一般的には、反時計回りとなる。いわゆる、後続ロッドのどうしをジョイントするネジがほとんどの場合に左ネジで供給されている所以による。
【００３８】
後続ロッド１にセンター保持リング２がない場合には、図４（Ａ）及び（Ｂ）に示すように、ロッド内に取り込まれたＰＣ鋼より線５０は、後続ロッド１の内側に当接して、ＰＣ鋼より線５０のより方向とは反対の方向に回るため、すなわち、撚りが解ける方向にねじれるため、散け、ロッド内に散らばり、絡まった状態を呈する。
【００３９】
このＰＣ鋼より線５０が散けることは、ロッド内に取り込まれたＰＣ鋼より線５０のより方向と、ロッドの回転方向が同じ方向でも発生する。すなわち、後続ロッド１の内側に当接したＰＣ鋼より線５０は、尚一層ねじられたり、その反動で巻き戻ったりして、やがては散け、ロッド内に散らばったり、絡まったりする状態を呈することとなるが、前者では、その傾向が著しく発生する。
【００４０】
後続ロッド１にセンター保持リング２がある場合には、図３（Ａ）及び（Ｂ）に示すように、ＰＣ鋼より線５０の軸方向の剛性による撓みなどに見合った、センター保持リング２を有する後続ロッド１を配設することにより、ＰＣ鋼より線５０は後続ロッド１の内側に当接することがなくなるので、ＰＣ鋼より線５０は散けることがない。
【００４１】
これにより、ＰＣ鋼より線５０が回転する後続ロッド１の内側に当接して、散け、後続ロッド内に散らばり、絡まったりはしなくなる。
【００４２】
このため、削孔水の送水が不足してアンカーの除去削孔が困難となったり、ロッド内側で散らばり、絡まった引張材がロッド内側との接触抵抗により引張材の回収困難となるなどが発生し、かつ散けた引張材によりロッドが傷つけられることを防止できる。
【００４３】
よって、これによれば、ＰＣ鋼より線５０の撤去に関する信頼性及び安定性の向上効果が十分に得られることが可能となっている。
【産業上の利用可能性】
【００４４】
都市部では、技術的・経済的な観点から、残置された山留めアンカーがあり、地下空間利用の再開発に伴い除去が望まれている。このようなアンカーを除去することによって、土地の有効活用が促進される用途にも適用できる。
【符号の説明】
【００４５】
１  後続ロッド
２  センター保持リング
３  リング
４  リングガイド
５  雄ネジ
６  雌ネジ
１０  ビット付きロッド
１１  先端ロッド
１２  ビット
５０  ＰＣ鋼より線
５１  素線
６０  掘削機械
６１  山留め壁
６２  アンカー
６３  グラウト
１１０  地盤
【図１】
2014058836.tif 000003
【図２】
2014058836.tif 000004
【図３】
2014058836.tif 000005
【図４】
2014058836.tif 000006
【図５】
2014058836.tif 000007
【図６】
2014058836.tif 000008
【図７】
2014058836.tif 000009